(57)【要約】【課題】かご室内から照明装置の点検および交換を、安全かつ効率良く行うことができるエレベータ天井装置を提供する。【解決手段】エレベータ天井装置１は、エレベータ２のかご室１１に設けられる天井装置であって、かご室１１の天井を形成する天井構造物２１と、天井構造物２１に取り付けられる照光ユニット２２とを具備する。照光ユニット２１は、光源となる発光体３２と、発光体３２の下方を覆う照光意匠部３３とを含むとともに、天井構造物２１に対してかご室１１内から交換可能に固定されている。照光ユニット２２は、天井構造物２１に対する照光ユニット２２の固定を解除し、照光ユニット２２を天井構造物２１に固定された固定位置から下方に下ろしたときに、天井構造物２１に掛かり、照光ユニット２２を前記固定位置よりも下方の位置で保持する保持部４９を備える。【選択図】      図５
2010006491.tif 000002
【特許請求の範囲】
【請求項１】
エレベータのかご室に設けられる天井装置であって、
前記かご室の天井を形成する天井構造物と、
前記天井構造物に取り付けられる照光ユニットと、を具備し、
前記照光ユニットは、光源となる発光体と、この発光体の下方を覆う照光意匠部とを含むとともに、前記天井構造物に対して前記かご室内から交換可能に固定されており、
前記照光ユニットはさらに、前記天井構造物に対する当該照光ユニットの固定を解除し、当該照光ユニットを前記天井構造物に固定された固定位置から下方に下ろしたときに、前記天井構造物に掛かり、当該照光ユニットを前記固定位置よりも下方の位置で保持する保持部を備えることを特徴とするエレベータ天井装置。
【請求項２】
請求項１の記載において、
前記照光ユニットを前記天井構造物に固定する締結具を備え、
前記締結具は、前記天井構造物に対してゆるみ移動可能に係合するとともに、前記天井構造物に対してゆるみ移動する量が前記保持部によって所定量に制限されており、前記締結具を緩めることで、前記保持部が前記天井構造物に掛かり、前記締結具が緩んだ状態で前記照光ユニットが保持されることを特徴とするエレベータ天井装置。
【請求項３】
請求項２の記載において、
前記照光ユニットは、前記締結具に係合するとともに、前記締結具が締められたときに前記締結具から取り外し不能になり、前記締結具が緩められたときに前記締結具から取り外し可能になる係合部を有することを特徴とするエレベータ天井装置。
【請求項４】
請求項１の記載において、
前記保持部は、互いに分離可能な複数の部材から構成されており、一部の部材を残りの部材から取り外すことで、前記照光ユニットの保持が解除されることを特徴とするエレベータ天井装置。
【請求項５】
請求項１の記載において、
前記照光ユニットを前記天井構造物に固定する締結具と、
前記天井構造物および前記照光ユニットの少なくとも一方に着脱自在に取り付けられ、前記締結具の下方を覆う目隠しカバーと、
を備えることを特徴とするエレベータ天井装置。
【請求項６】
請求項１の記載において、
前記照光ユニットを前記天井構造物に固定する締結具と、
前記天井構造物に取り付けられ、前記締結具の下方を覆う目隠しカバーと、を備え、
前記目隠しカバーは、前記締結具の下方に位置する第１の位置と、前記締結具の下方を外れる第２の位置との間で回転可能またはスライド可能に前記天井構造物に支持されており、前記照光ユニットは、前記目隠しカバーを前記天井構造物に残した状態で前記天井構造物から取り外し可能であることを特徴とするエレベータ天井装置。
【発明の詳細な説明】
【技術分野】
【０００１】
本発明は、エレベータのかご室に設けられる天井装置に関する。
【背景技術】
【０００２】
エレベータのかご室は、天井を有する。この天井は、例えば二重構造になっており、下層部を構成する本天井と、この本天井の上方に設置され、上層部を構成するケースとを含む。本天井とケースとの間には、蛍光灯を収容する空間が形成されている。そしてこの空間に臨むケースの下面には、蛍光灯が取り付けられるソケットが設けられている。本天井の中央部には、比較的大きな開口部が設けられている。この本天井の開口部は、かご室内から取り付けられたカバーにより覆われている。
【０００３】
このような天井構造において蛍光灯周りの点検を行うときは、本天井からカバーを取り外し、上記開口部を通じて蛍光灯をかご室内に露出させる。そして、上記開口部を通じて蛍光灯回りの点検作業を行う。つまり蛍光灯周りの点検には、本天井からカバーを取り外す作業や、本天井に開口した開口部を通じて蛍光灯まで手を伸ばす作業が必要になり、点検作業が非常に煩雑になる。
【０００４】
ここで特許文献１は、光源体が装着された吊り天井をかご室内から交換可能な天井装置を開示している。この天井装置は、かご室の天井板の下面に対向配置され、吊り天井を形成するケースを備える。光源体はケースに設けられている。この天井装置では、光源体が装着されたケースがかご室内に搬入され、ケースの上面が天井板の下面にあてがわれる。
【特許文献１】特開２００３−２１２４５４号公報
【発明の開示】
【発明が解決しようとする課題】
【０００５】
ところで、上記特許文献の天井装置における光源の点検は、ケース（すなわち吊り天井）がかご室の天井板に取り付けられた状態で行われるか、ケースを天井板から完全に取り外し、かご室内の床まで下ろした状態で行われる。前者の場合は、光源体が装着された天井の最上部まで手を伸ばす作業が必要になる。後者の場合は、ケースを天井板から取り外す作業が必要になる。すなわちいずれの場合も煩雑な作業が必要になる。
【０００６】
また、上記特許文献のケースは、天井板に溶接されたナットにボルトのような締結具をねじ込むことで天井板に固定されている。そのため、前記ケースを天井板から取り外すとき、作業を誤るとケースが天井板から不意に外れてかご室内に落下するおそれがある。つまり、上記天井装置は、光源を点検および交換する作業の安全性の観点からも改善の余地がある。
【０００７】
本発明の目的は、かご室内から照明装置の点検および交換を、安全かつ効率良く行うことができるエレベータ天井装置を提供することにある。
【課題を解決するための手段】
【０００８】
（１）本発明の一つの形態に係るエレベータ天井装置は、エレベータのかご室に設けられる天井装置であって、前記かご室の天井を形成する天井構造物と、前記天井構造物に取り付けられる照光ユニットとを具備する。前記照光ユニットは、光源となる発光体と、この発光体の下方を覆う照光意匠部とを含むとともに、前記天井構造物に対して前記かご室内から交換可能に固定されている。前記照光ユニットはさらに、前記天井構造物に対する当該照光ユニットの固定を解除し、当該照光ユニットを前記天井構造物に固定された固定位置から下方に下ろしたときに、前記天井構造物に掛かり、当該照光ユニットを前記固定位置よりも下方の位置で保持する保持部を備える。
【０００９】
（２）前記（１）に記載のエレベータ天井装置の一つの形態では、前記照光ユニットを前記天井構造物に固定する締結具を備え、前記締結具は、前記天井構造物に対してゆるみ移動可能に係合するとともに、前記天井構造物に対してゆるみ移動する量が前記保持部によって所定量に制限されており、前記締結具を緩めることで、前記保持部が前記天井構造物に掛かり、前記締結具が緩んだ状態で前記照光ユニットが保持される。
【００１０】
（３）前記（２）に記載のエレベータ天井装置の一つの形態では、前記照光ユニットは、前記締結具に係合するとともに、前記締結具が締められたときに前記締結具から取り外し不能になり、前記締結具が緩められたときに前記締結具から取り外し可能になる係合部を有する。
【００１１】
（４）前記（１）に記載のエレベータ天井装置の一つの形態では、前記保持部は、互いに分離可能な複数の部材から構成されており、一部の部材を残りの部材から取り外すことで、前記照光ユニットの保持が解除される。
【００１２】
（５）前記（１）に記載のエレベータ天井装置の一つの形態では、前記照光ユニットを前記天井構造物に固定する締結具と、前記天井構造物および前記照光ユニットの少なくとも一方に着脱自在に取り付けられ、前記締結具の下方を覆う目隠しカバーとを備える。
【００１３】
（６）前記（１）に記載のエレベータ天井装置の一つの形態では、前記照光ユニットを前記天井構造物に固定する締結具と、前記天井構造物に取り付けられ、前記締結具の下方を覆う目隠しカバーとを備える。前記目隠しカバーは、前記締結具の下方に位置する第１の位置と、前記締結具の下方を外れる第２の位置との間で回転可能またはスライド可能に前記天井構造物に支持されており、前記照光ユニットは、前記目隠しカバーを前記天井構造物に残した状態で前記天井構造物から取り外し可能である。
【発明の効果】
【００１４】
本発明によれば、かご室内から照明装置の点検および交換を、安全かつ効率良く行うことができる。
【発明を実施するための最良の形態】
【００１５】
以下、本発明の実施の形態について、図１ないし図１９を参照して説明する。まず、図１を参照して、本発明の第１ないし第６の実施形態に係るエレベータ天井装置１が適用されるエレベータ２について説明する。
【００１６】
図１に示すように、エレベータ２は、それぞれ昇降路３内に配置された乗籠４と釣合いおもり５とを備える。昇降路３の上方には機械室６が設けられている。この機械室６には、巻上機７が設置されるとともに、例えばエレベータ２の全体を制御する制御装置８が設けられている。巻上機７は、メインシーブ７ａと、このメインシーブ７ａを回転駆動するモータ７ｂと備える。メインシーブ７ａには、乗籠４と釣合いおもり５が釣瓶式に連結されたメインロープ９が巻き掛けられている。
【００１７】
図１に示すように、乗籠４は、かご枠１０と、かご室１１とを備える。かご枠１０は、それぞれ鋼材である上梁、下梁、および鉛直方向に延びる一対の縦枠が組み立てられて枠状に形成されている。かご室１１は、利用者が乗車可能な箱形に形成されているとともに、かご枠１０内に配置されている。
【００１８】
図２は、かご室１１の内部を示す。かご室１１は、床１３、側板１４ａ，１４ｂ、乗籠出入口１５、幕板１６、リターンパネル１７ａ，１７ｂ、およびエレベータ天井装置１などを備える。側板１４ａ，１４ｂは、かご室１１の外壁を形成する壁板である。乗籠出入口１５には、乗籠ドア１８ａ，１８ｂが設けられている。エレベータ天井装置１は、かご室１１の上部に設けられ、かご室１１の天井部を形成している。以下、図３ないし図１９を参照して、本発明に係るエレベータ天井装置１について詳しく説明する。
【００１９】
（第１の実施形態）  
図３ないし図７は、本発明の第１の実施形態に係るエレベータ天井装置１を示す。図３に示すように、エレベータ天井装置１は、かご室１１の天井を形成する天井構造物２１と、この天井構造物２１に取り付けられる一つまたは複数の照光ユニット２２（すなわち照明装置）とを備える。
【００２０】
図３に示すように、天井構造物２１は、本天井２３と、ケース２４とを備え、二重構造になっている。詳しく述べると、本天井２３は、かご室１１の上部に設置される。本天井２３は、上記二重構造の下層部を形成し、かご室１１内に露出されている。本天井２３は、水平方向に延びる板状部材であり、かご室１１の中心に対向する中央部２３ａと、側板１４ａ，１４ｂの上端部に繋がる周縁部１３ｂとを有する。本天井２３の中央部２３ａには、照光ユニット２２が配置されるための比較的大きな開口部２５が設けられている。
【００２１】
ケース２４は、本天井２３の上方に設置され、上記二重構造の上層部を形成している。ケース２４は、上板部２６と、側板部２７とを有する。上板部２６は、本天井２３の上方において水平方向に延びており、天井部の上端部を形成している。
【００２２】
側板部２７は、例えば本天井２３の全周の周縁部から下方に向いて延びており、本天井２３の上面に繋がっている。つまりケース２４は、下方が開放された凹状に形成されており、本天井２３に上方から被せられている。本天井２３とケース２４との間には、照光ユニット２２が配置される空間Ｓが形成されている。この空間Ｓは、本天井２３に開口する開口部２５を通じて、かご室１１内に露出される。
【００２３】
図３に示すように、照光ユニット２２は、回路基板３１、発光体３２、照光意匠部３３、ふさぎ板３４、およびベース３５を備える。発光体３２は、かご室１１内を照らす光源である。発光体３２は、例えばＬＥＤ（発光ダイオード）チップであり、回路基板３１の下面に実装されている。回路基板３１には、ケーブル３６が接続されている。このケーブル３６の途中には、互いに分離可能な一対のコネクタを含むコネクタ部３７が設けられている。
【００２４】
照光意匠部３３は、例えば回路基板３１よりも一回り大きな外形を有する。照光意匠部３３は、例えば発光体３２に隣接配置され、発光体３２の下方を覆っている。照光意匠部３３は、例えばアクリルのような材料で形成され、透光性を有する。図４に示すように、照光意匠部３３は、比較的厚く形成されているとともに、発光体３２が入り込む窪み３３ａを有する。図３に示すように、ふさぎ板３４は、複数の照光意匠部３３の間に取り付けられている。
【００２５】
図３に示すように、ベース３５は、支持部４１と、一対の起立部４２と、一対の固定部４３とを有する。支持部４１は、例えば回路基板３１よりも大きな外形を有するとともに、水平方向に延びており、回路基板３１に上方から対向する。発光体３２が実装された回路基板３１および照光意匠部３３は、ベース３５の支持部４１に取り付けられている。
【００２６】
詳しく述べると、図４に示すように、ベース３５の支持部４１は、第１の締結部材４５が挿入されるねじ挿通孔４１ａを有する。回路基板３１は、ベース３５のねじ挿通孔４１ａに連通するねじ挿通孔３１ａを有する。照光意匠部３３は、回路基板３１のねじ挿通孔３１ａに連通するねじ穴３３ｂを有する。このねじ穴３３ｂには、雌ねじが形成されている。
【００２７】
第１の締結部材４５は、例えばねじ又はボルトである。図４に示すように、第１の締結部材４５が、ベース３５のねじ挿通孔４１ａと回路基板３１のねじ挿通孔３１ａとに挿入され、照光意匠部３３のねじ穴３３ｂに係合すると、回路基板３１がベース３５と照光意匠部３３との間に挟持される。これにより、発光体３２が実装された回路基板３１、および照光意匠部３３がベース３５に一体に保持される。
【００２８】
図３に示すように、一対の起立部４２は、支持部４１の両端部からそれぞれに上方に向いて起立している。一対の固定部４３は、それぞれ起立部４２の上端部から水平方向に延びている。固定部４３は、ケース２４に固定される部分である。固定部４３は、例えばケース２４の上板部２６に隣接するとともに、この上板部２６に沿って延びている。
【００２９】
固定部４３がケース２４に取り付けられることで、照光ユニット２２は天井構造物２１に固定される。天井構造物２１に固定された照光ユニット２２は、本天井２３とケース２４との間に形成された空間Ｓに配置されるとともに、開口部２５を通じてかご室１１内に露出される。図３に示すように、照光ユニット２２の下端部は、本天井２３よりも下方へ突出している。換言すれば、上述したベース３５は、照光ユニット２２の下端部を本天井２３よりも下方へ突出させるための部材であり、天井の深さ（空間Ｓの深さ）によってその大きさ（すなわち起立部４２の長さ）が設定される。
【００３０】
次に、ケース２４に対するベース３５の取り付けについて詳しく説明する。  
図５に示すように、ベース３５の固定部４３は、第２の締結部材４６が挿入されるねじ挿通孔４３ａを有する。ケース２４の上板部２６は、ベース３５の固定部４３のねじ挿通孔４３ａに連通するねじ孔２４ａを有する。このねじ孔２４ａには、上板部２６を貫通する貫通孔であるとともに、雌ねじが形成されている。
【００３１】
第２の締結部材４６は、本発明でいう締結具の一例である。第２の締結部材４６は、例えばねじ又はボルトである。図６に示すように、第２の締結部材４６は、いわゆる段付きねじであり、ねじ頭４７と、段付き部が形成されたねじ軸４８とを有する。つまりねじ軸４８は、太径部４８ａと細径部４８ｂとを有する。
【００３２】
図５に示すように、ベース３５のねじ挿通孔４３ａは、第２の締結部材４６の太径部４８ａが挿通可能な内径を有する。ケース２４のねじ孔２４ａは、第２の締結部材４６の太径部４８ａが係合可能な大きさを有する。第２の締結部材４６の太径部４８ａが、ベース３５のねじ挿通孔４３ａに下方から挿入され、ケース２４のねじ孔２４ａに係合すると、ベース３５がケース２４に固定される。これにより、照光ユニット２２は、天井構造物２１に対してかご室１１内から交換可能に固定される。
【００３３】
図５は、天井構造物２１に固定された固定位置にあるベース３５を示す。図５に示すように、第２の締結部材４６は、ケース２４のねじ孔２４ａに対して比較的深く係合される。この固定位置では、ベース３５の固定部４３がケース２４に接している。
【００３４】
一方、図５および図６に示すように、ケース２４のねじ孔２４ａを通じてケース２４の上方へ突出した第２の締結部材４６の細径部４８ｂには、平座金４９が取り付けられている。この平座金４９は、第２の締結部材４６の細径部４８ｂが挿通される貫通孔４９ａを有する。この貫通孔４９ａの内径は、第２の締結部材４６の細径部４８ｂの外径よりも大きく、且つ、第２の締結部材４６の太径部４８ａの外径よりも小さい。また平座金４９は、ケース２４のねじ孔２４ａの内径よりも大きな外径を有する。第２の締結部材４６の細径部４８ｂには、平座金４９が細径部４８ｂから抜けないようにナット５０が係合されている。
【００３５】
上記平座金４９は、本発明でいう保持部の一例である。図７に示すように、平座金４９（すなわち保持部）は、ケース２４のねじ孔２４ａに対する第２の締結部材４６の係合を緩めることで、天井構造物２１に対する照光ユニット２２の固定を緩め、照光ユニット２２を天井構造物２１に固定された固定位置から下方に下ろしたときに、ケース２４の上面に掛かる。これにより平座金４９は、照光ユニット２２の下方移動を規制し、照光ユニット２２を前記固定位置よりも下方の位置で保持する。
【００３６】
なお本発明でいう「天井構造物に対する照光ユニットの固定を解除する」とは、照光ユニット２２の固定部（本実施形態ではベース３５の固定部４３）が天井構造物２１（本実施形態ではケース２４）から離れる状態を指す。すなわち図７に示すように、照光ユニット２２が第２の締結部材４６を介して天井構造物２１に一部連絡している状態（すなわち固定が緩められた状態）も本発明でいう「天井構造物に対する照光ユニットの固定を解除した」状態に含まれる。
【００３７】
本実施形態に係る第２の締結部材４６は、天井構造物２１に対してゆるみ移動可能に係合している。なお「ゆるみ移動」とは、第２の締結部材４６を緩める（すなわち回転させる）ことでねじ孔２４ａに対して第２の締結部材４６が後退（本実施形態では下方移動）することをいう。
【００３８】
第２の締結部材４６は、天井構造物２１に対してゆるみ移動する量が平座金４９（すなわち保持部）によって所定量Ｌに制限されており、第２の締結部材４６の締結を緩めることで、第２の締結部材４６とねじ孔２４ａとの係合が維持された状態で照光ユニット２２が前記所定量Ｌだけ下方へ移動し、平座金４９が天井構造物２１に掛かり、第２の締結部材４６が緩んだ状態で照光ユニット２２が保持される。
【００３９】
次に、エレベータ天井装置１の作用について説明する。  
照光ユニット２２の点検および交換は、かご室１１内から行われる。つまり、かご室１１内からケース２４のねじ孔２４ａに対する第２の締結部材４６の締結（すなわち係合）を緩めることで、平座金４９がケース２４の上面に接触するまで照光ユニット２２の全体がかご室１１内に降りてくる。例えば、発光体３２を含む光源部分の全体が本天井２３よりも下方へ降りてくる。
【００４０】
保守者は、照光ユニット２２をかご室１１内へ下ろした状態で、例えば照光ユニット２２を天井構造物２１から取り外すことなく、照光ユニット２２の点検作業を行う。
【００４１】
また保守者は、第２の締結部材４６の細径部４８ｂに係合したナット５０を緩め、天井構造物２１から照光ユニット２２が取り外すことで、かご室１１内から照光ユニット２２の交換作業を行う。
【００４２】
このような構成のエレベータ天井装置１によれば、かご室１１内から照光ユニット２２の点検および交換を、安全かつ効率良く行うことができる。すなわち、照光ユニット２２を天井構造物２１に固定された固定位置から下方に下ろしたときに、天井構造物２１に掛かり、照光ユニット２２を固定位置よりも下方の位置で保持する保持部（例えば平座金４９）を備えると、この保持部によって保持される高さ位置で照光ユニット２２の点検を行うことができる。
【００４３】
つまり本実施形態に係るエレベータ天井装置１よれば、従来のような本天井からカバーを取り外す作業や、本天井に開口した開口部を通じて蛍光灯まで手を伸ばし、天井の最上部付近で行う点検作業、又は吊り天井がかご室の天井板に固定された状態で光源体まで手を伸ばして行う点検作業や、吊り天井を天井板から完全に取り外す作業といった煩雑な作業が伴わない。
【００４４】
本実施形態に係るエレベータ天井装置１よれば、照光ユニット２２を固定位置から下方に降ろし、保持部によって保持された状態で照光ユニット２２の点検作業を行うことができる。この保持部によって保持された状態では、照光ユニット２２は保守者が比較的手を伸ばしやすい高さ（手が届きやすい高さ）にあり、且つ、照光ユニット２２がかご室１１内に大きく露出されている。このような状態で照光ユニット２２の点検作業が可能になるので、照光ユニット２２の点検を効率良く行うことができる。
【００４５】
また、照光ユニット２２の交換作業においても、照光ユニット２２を天井構造物２１に対して固定された固定位置よりも下方の位置まで降ろした状態で作業を行うことができるので、作業性が良く、照光ユニット２２の交換を効率良く行うことができる。
【００４６】
さらに保持部（例えば平座金４９）は、落下防止のストッパーとして効果を奏する。つまり、単にねじ孔に対してねじのような締結具がねじ込まれているだけでは、締結具を緩める作業をしているうちに照光ユニット２２がケース２４から不意に外れてかご室１１内に落下するおそれがある。しかしながら保持部を備えたエレベータ装置によれば、照光ユニット２２がケース２４から不意に外れそうになっても保持部によって落下が防止される。これにより、照光ユニット２２の点検および交換を、安全に行うことができる。
【００４７】
天井構造物２１に対してゆるみ移動可能に係合するとともに、天井構造物２１に対するゆるみ移動する量が平座金４９（すなわち保持部）によって所定量Ｌに制限された第２の締結部材４６を備えると、第２の締結部材４６を緩めるだけで、平座金４９が天井構造物２１に引っ掛かり、照光ユニット２２の高さ位置が自然と決まる。このようなエレベータ天井装置１によれば、第２の締結部材４６を天井構造物２１から取り外す必要などもないので、照光ユニット２２の点検および交換作業をさらに効率良く行うことができる。
【００４８】
（第２の実施形態）  
次に、本発明の第２の実施形態に係るエレベータ天井装置１について、図８を参照して説明する。なお上記第１の実施形態の構成と同一または類似の機能を有する構成は、同一の符号を付してその説明を省略する。本実施形態に係るエレベータ天井装置１は、ベース３５の構造のみが上記第１の実施形態と異なる。
【００４９】
図８に示すように、ベース３５の固定部４３は、第２の締結部材４６（すなわち締結具）が挿入されるねじ挿通孔４３ａを有する。このねじ挿通孔４３ａは、本発明でいう係合部の一例であり、第２の締結部材４６に係合するとともに、ケース２４に対して第２の締結部材４６が締められたときにこの第２の締結部材４６から取り外し不能になり、ケース２４に対して第２の締結部材４６が緩められたときにこの第２の締結部材４６から取り外し可能になる。
【００５０】
本実施形態に係るねじ挿通孔４３ａの一例は、いわゆるダルマ穴である。図８に示すように、ねじ挿通孔４３ａは、互いに大きさが異なるとともに、互いに連続した第１および第２の孔部５２，５３を有する。第１の孔部５２は、第２の締結部材４６のねじ頭４７の外径よりも大きく形成され、ねじ頭４７が挿通可能になっている。第２の孔部５３は、ねじ頭４７の外径よりも小さく、且つ、ねじ軸４８の外径よりも大きく形成され、ねじ軸４８のみが挿通可能になっている。
【００５１】
第２の締結部材４６が第２の孔部５３に挿通された状態で第２の締結部材４６の締結が行われると、ベース３５がケース２４に固定される。一方、第２の締結部材４６を緩めるとともに、ベース３５を横方向にずらすことで第２の締結部材４６が第１の孔部５２に挿通された状態になると、照光ユニット２２をケース２４から取り外すことができる。上記説明した以外のエレベータ天井装置１の残りの構成は上記第１の実施形態と同じである。
【００５２】
このような構成のエレベータ天井装置１によれば、前記第１の実施形態と同様に、かご室１１内から照光ユニット２２の点検および交換を、安全かつ効率良く行うことができる。
【００５３】
第２の締結部材４６に係合するとともに、第２の締結部材４６が緩んだ状態になったときに第２の締結部材４６から取り外し可能になるねじ挿通孔４３ａを有すると、第２の締結部材４６を緩めることにより、照光ユニット２２をケース２４から取り外すことができる。すなわち、ナット５０を緩めるような作業をすることなく、照光ユニット２２をかご室１１内から交換可能であり、照光ユニット２２の点検および交換作業を効率よく行うことができる。また、第２の締結部材４６を大きく緩めることなく照光ユニット２２を取り外すことができるため、その観点からしても作業効率が向上する。
【００５４】
（第３の実施形態）  
次に、本発明の第３の実施形態に係るエレベータ天井装置１について、図９ないし図１１を参照して説明する。なお上記第１の実施形態の構成と同一または類似の機能を有する構成は、同一の符号を付してその説明を省略する。
【００５５】
図９に示すように、本実施形態に係るベース３５は、支持部４１、起立部４２、並びに第１および第２の保持部６１，６２を有する。起立部４２は、支持部４１の長手方向に沿う一方の縁部から上方に向いて起立している。第１および第２の保持部６１，６２は、それぞれ起立部４２の上端部に設けられているとともに、互いに反対方向に突出し、それぞれ水平方向に延びている。
【００５６】
第１の保持部６１は、上記第１の実施形態に係る固定部４３と同じ役割を担い、例えばケース２４の上板部２６に隣接し、ケース２４に固定される部分である。第１の保持部６１は、第２の締結部材４６が挿通されるねじ挿通孔４３ａを有する。
【００５７】
図１０に示すように、本天井２３は、照光ユニット２２が配置される領域に開口部２５を有するとともに、第１の保持部６１に下方から対向する第１の掛止部６３と、第２の保持部６２に下方から対向する第２の掛止部６４とを有する。また、本実施形態および以後の実施形態では、第２の締結部材４６は、段付き部を有する締結具ではなく、いわゆる普通のねじ又はボルトである。すなわち上記第１の実施形態に係る平座金４９やナット５０は設けられていない。本実施形態では、第１および第２の保持部６１，６２が互いに協働することで本発明でいう保持部を形成している。
【００５８】
図１１は、天井構造物２１に対する照光ユニット２２の固定が解除された状態を示す。図１１に示すように、第１および第２の保持部６１，６２は、ケース２４のねじ孔２４ａに対する第２の締結部材４６の係合を緩めることで、天井構造物２１に対する照光ユニット２２の固定を解除し、照光ユニット２２を天井構造物２１に固定された固定位置（図１０参照）から下方に下ろしたときに、本天井２３の第１および第２の掛止部６３，６４に掛かる。これにより第１および第２の保持部６１，６２は、照光ユニット２２の下方移動を規制し、照光ユニット２２を前記固定位置よりも下方の位置で保持する。上記説明した以外のエレベータ天井装置１の残りの構成は上記第１の実施形態と同じである。
【００５９】
このような構成のエレベータ天井装置１によれば、前記第１の実施形態と同様に、かご室１１内から照光ユニット２２の点検および交換を、安全かつ効率良く行うことができる。つまり、天井構造物２１に対する照光ユニット２２の固定を解除し、照光ユニット２２を天井構造物２１に固定された固定位置から下方に下ろしたときに、天井構造物２１に掛かり、照光ユニット２２を固定位置よりも下方の位置で保持する第１および第２の保持部６１，６２を備えると、この第１および第２の保持部６１，６２が照光ユニット２２を保持する高さ位置で照光ユニット２２の点検を行うことができる。これにより、照光ユニット２２を固定位置から下方に降ろしてかご室１１内に大きく露出させた状態で照光ユニット２２の点検を行うことができるので、照光ユニット２２の点検を効率良く行うことができる。
【００６０】
また、照光ユニット２２の交換作業においても、照光ユニット２２を上記固定位置よりも下方の位置まで降ろした状態で作業を行うことができるので、作業性が良く、照光ユニット２２の交換を効率良く行うことができる。
【００６１】
さらに第１および第２の保持部６１，６２は、落下防止のストッパーとしての効果を奏する。つまり、第１および第２の保持部６１，６２を備えたエレベータ天井装置１によれば、第２の締結部材４６を緩める作業をしているうちに照光ユニット２２がケース２４から不意に外れそうになっても第１および第２保持部６１，６２によって照光ユニット２２の落下が防止される。これにより、照光ユニット２２の点検および交換を、安全に行うことができる。
【００６２】
（第４の実施形態）  
次に、本発明の第４の実施形態に係るエレベータ天井装置１について、図１２および図１３を参照して説明する。なお上記第１および第３の実施形態の構成と同一または類似の機能を有する構成は、同一の符号を付してその説明を省略する。
【００６３】
図１２に示すように、本実施形態に係るベース３５は、支持部４１、起立部４２、および第１の保持部６１を含むベース本体７１と、このベース本体７１と別体に設けられた第２の保持部６２とを有する。つまり本実施形態では、互いに分離可能な複数の部材（第１および第２の保持部６１，６２）によって本発明でいう保持部が構成されている。第２の保持部６２は、ベース本体７１に例えば第３の締結部材７２により着脱自在に固定されている。第３の締結部材７２は、例えばねじ又はボルトである。
【００６４】
図１３に示すように、第１および第２の保持部６１，６２が本天井２３の第１および第２の掛止部６３，６４に接する状態では、第３の締結部材７２は、例えば本天井２３よりも下方に位置し、すなわち保守者の手の届きやすい高さに位置する。この状態で第３の締結部材７２による締結を解除すると、第１および第２の保持部６１，６２が互いに分離可能になる。そして、例えば第２の保持部６２（本発明でいう一部の部材）を第１の保持部６１（本発明でいう残りの部材）から取り外すことで、第１および第２の保持部６１，６２による照光ユニット２２の保持が解除され、照光ユニット２２をかご室１１内に取り外すことができる。上記説明した以外のエレベータ天井装置１の残りの構成は上記第３の実施形態と同じである。
【００６５】
このような構成のエレベータ天井装置１によれば、前記第１の実施形態と同様に、かご室１１内から照光ユニット２２の点検および交換を、安全かつ効率良く行うことができる。
【００６６】
保持部が互いに分離可能な複数の部材（例えば第１および第２の保持部６１，６２）から構成されており、一部の部材を残りの部材から取り外すことで、照光ユニット２２の保持が解除されると、照光ユニット２２を容易に取り外すことができる。これにより、照光ユニット２２の点検および交換の作業性が更に高くなる。
【００６７】
（第５の実施形態）  
次に、本発明の第５の実施形態に係るエレベータ天井装置１について、図１４ないし図１６を参照して説明する。なお上記第１ないし第４の実施形態の構成と同一または類似の機能を有する構成は、同一の符号を付してその説明を省略する。
【００６８】
本実施形態に係るベース３５は、例えば第３および第４の実施形態と同様に、第１および第２の保持部６１，６２を有する。また本天井２３は、第１および第２の掛止部６３，６４を有する。なおベース３５は、上記に代えて第１および第２の実施形態と同様に、太径部４８ａと細径部４８ｂとを有するとともに保持部としての平座金４９が取り付けられる第２の締結部材４６によって締結されるものでもよい。
【００６９】
図１４に示すように、本実施形態に係るエレベータ天井装置１は、天井構造物２１および照光ユニット２２の少なくとも一方に着脱自在に取り付けられ、第２の締結部材４６の下方を覆う目隠しカバー８１を備える。この目隠しカバー８１を天井構造物２１および照光ユニットから取り外すことで、第２の締結部材４６がかご室１１内に露出される。
【００７０】
図１４に示すように、例えばベース３５の起立部４２は、第１の被係合部８２を有する。第１の被係合部８２は、例えばベース３５に設けられた穴、切欠き、又は凹部である。例えば本天井２３は、第２の被係合部８３を有する。第２の被係合部８３は、例えば本天井２３に設けられた開口部２５の縁の一部である。
【００７１】
図１４ないし図１６に示すように、目隠しカバー８１は、本体部８４、および第１および第２の係合部８５，８６を有する。本体部８４は、第２の締結部材４６に下方から対向し、第２の締結部材４６をかご室１１内から覆い隠す。第１の係合部８５は、本体部８４の第１の端部に設けられ、ベース３５の第１の被係合部８２に係合する。第１の係合部８５は、例えば穴、切欠き又は凹部の縁に引っ掛かる爪部である。第２の係合部８６は、本体部８４うち第１の端部とは反対側に位置する第２の端部に設けられ、本天井２３の第２の被係合部８３に係合する。第２の係合部８６は、例えば開口部２５の縁に引っ掛かる爪部である。
【００７２】
なお、目隠しカバー８１は、天井構造物２１のみに着脱自在に係合するものでもよく、又は照光ユニット２２のみに着脱自在に係合するものでもよい。上記説明した以外のエレベータ天井装置１の残りの構成は上記１または上記第３の実施形態と同じである。
【００７３】
このような構成のエレベータ天井装置１によれば、前記第１の実施形態と同様に、かご室１１内から照光ユニット２２の点検および交換を、安全かつ効率良く行うことができる。
【００７４】
天井構造物２１および照光ユニット２２の少なくとも一方に着脱自在に取り付けられ、第２の締結部材４６を下方から覆う目隠しカバー８１を備えると、かご室１１内に露出する天井部の意匠を良好に確保するとともに、照光ユニット２２の点検作業性を確保することができる。
【００７５】
（第６の実施形態）  
次に、本発明の第６の実施形態に係るエレベータ天井装置１について、図１７ないし図１９を参照して説明する。なお上記第１ないし第５の実施形態の構成と同一または類似の機能を有する構成は、同一の符号を付してその説明を省略する。
【００７６】
本実施形態に係るベース３５は、例えば第３および第４の実施形態と同様に、第１および第２の保持部６１，６２を有する。また本天井２３は、第１および第２の掛止部６３，６４を有する。なおベース３５は、上記に代えて第１および第２の実施形態と同様に、太径部４８ａと細径部４８ｂとを有するとともに保持部としての平座金４９が取り付けられる第２の締結部材４６によって締結されるものでもよい。
【００７７】
図１５に示すように、本実施形態に係るエレベータ天井装置１は、天井構造物２１に取り付けられ、第２の締結部材４６の下方を覆う目隠しカバー８１を備える。この目隠しカバー８１は、第２の締結部材４６の下方に位置する第１の位置（図１７参照）と、第２の締結部材４６の下方を外れる第２の位置（図１８参照）との間で回転可能またはスライド可能に天井構造物２１に支持されている。照光ユニット２２は、目隠しカバー８１を第２の位置まで移動させることで、第２の締結部材４６がかご室１１内に露出される。すなわち照光ユニット２２は、目隠しカバー８１を天井構造物２１に残した状態で天井構造物２１から取り外し可能である。
【００７８】
本実施形態に係る第２の被係合部８３は、本天井２３に設けられているとともに、照光ユニット２２を向いて突出した突出部である。図１４ないし図１６に示すように、目隠しカバー８１は、本体部８４、および第１および第２の係合部８５，８６を有する。本実施形態に係る第２の係合部８６は、例えば突出部である第２の被係合部８３が挿通される貫通孔である。目隠しカバー８１は、突出部である第２の被係合部８３に沿ってスライド可能である。
【００７９】
なお目隠しカバー８１は、例えば本天井２３に設けられたヒンジを介して、上記第１および第２の位置の間で回転可能なものであってもよい。上記説明した以外のエレベータ天井装置１の残りの構成は上記第５の実施形態と同じである。
【００８０】
このような構成のエレベータ天井装置１によれば、前記第１の実施形態と同様に、かご室１１内から照光ユニット２２の点検および交換を、安全かつ効率良く行うことができる。
【００８１】
目隠しカバー８１が、第２の締結部材４６の下方に位置する第１の位置と、第２の締結部材４６の下方を外れる第２の位置との間で回転可能またはスライド可能に天井構造物２１に支持されていると、目隠しカバー８１を天井構造物２１に残した状態で照光ユニット２２が天井構造物２１から取り外し可能になる。これにより天井部の意匠を確保するとともに、照光ユニット２２の点検作業性を確保することができ、さらに目隠しカバー８１の紛失および落下による不具合を防ぐことができる。
【００８２】
以上、本発明の第１ないし第６の実施形態に係るエレベータ天井装置１について説明したが、本発明はこれに限定されるものではない。この発明は、実施段階ではその要旨を逸脱しない範囲で構成要素を変形して具体化できる。例えば第５および第６の実施形態に係る目隠しカバー８１は、第１ないし第４の実施形態のいずれのエレベータ天井装置１においても適用することができる。また、照光ユニット２２の構成は、上記実施形態の構成に限定されるものではない。
【図面の簡単な説明】
【００８３】
【図１】本発明の第１ないし第６の実施形態に係るエレベータ天井装置が適用されるエレベータを概略的に示す断面図。
【図２】図１中に示されたかご室の内部を示す図。
【図３】本発明の第１の実施形態に係るエレベータ天井装置を示す断面図。
【図４】図１中に示された照光ユニットの分解斜視図。
【図５】図３中に示されたエレベータ天井装置を一部拡大して示す断面図。
【図６】図４中に示された第２の締結部材の斜視図。
【図７】本発明の第１の実施形態に係るエレベータ天井装置を示す断面図。
【図８】本発明の第２の実施形態に係るベースの斜視図。
【図９】本発明の第３の実施形態に係るベースの斜視図。
【図１０】図９に示されたＦ１０−Ｆ１０線に沿うエレベータ天井装置を示す断面図。
【図１１】図９に示されたＦ１０−Ｆ１０線に沿うエレベータ天井装置を示す断面図。
【図１２】本発明の第４の実施形態に係るベースの斜視図。
【図１３】図１２に示されたＦ１３−Ｆ１３線に沿うエレベータ天井装置を示す断面図。
【図１４】本発明の第５の実施形態に係るエレベータ天井装置を示す断面図。
【図１５】本発明の第５の実施形態に係る目隠しカバーの斜視図。
【図１６】図１５中で示された目隠しカバーを別の角度から見た斜視図。
【図１７】本発明の第６の実施形態に係るエレベータ天井装置を示す断面図。
【図１８】本発明の第６の実施形態に係るエレベータ天井装置を示す断面図。
【図１９】本発明の第６の実施形態に係る目隠しカバーの斜視図。
【符号の説明】
【００８４】
Ｌ…所定量、１…エレベータ天井装置、１１…かご室、２１…天井構造物、２２…照光ユニット、２３…本天井、２４…ケース、２５…開口部、３２…発光体、３３…照光意匠部、３５…ベース、４１…支持部、４３…固定部、４６…第２の締結部材（締結具）、４９ａ…平座金（保持部）、４３ａ…ねじ挿通孔（係合部）、６１，６２…保持部、８１…目隠しカバー。
【図１】
2010006491.tif 000003
【図２】
2010006491.tif 000004
【図３】
2010006491.tif 000005
【図４】
2010006491.tif 000006
【図５】
2010006491.tif 000007
【図６】
2010006491.tif 000008
【図７】
2010006491.tif 000009
【図８】
2010006491.tif 000010
【図９】
2010006491.tif 000011
【図１０】
2010006491.tif 000012
【図１１】
2010006491.tif 000013
【図１２】
2010006491.tif 000014
【図１３】
2010006491.tif 000015
【図１４】
2010006491.tif 000016
【図１５】
2010006491.tif 000017
【図１６】
2010006491.tif 000018
【図１７】
2010006491.tif 000019
【図１８】
2010006491.tif 000020
【図１９】
2010006491.tif 000021